(57)【要約】      （修正有）【課題】メガネを使用している人が違和感なく着用することができるメガネ装着型フェイスシールドを提供する。【解決手段】メガネ５をかけた人１の顔の少なくとも口２と鼻３と両こめかみ部分４、４とを覆い且つその両こめかみ部分４、４にメガネ５のテンプル６、６と平行になる長孔２２ａ、２２ｂが穿たれた弾性変形可能な透明樹脂シート２０、及び長孔２２ａ、２２ｂに一端が挿入可能な薄板ばねを用いた一対のダブルクリップ３０ａ、３０ｂを備え，透明樹脂シート２０を一対のダブルクリップ３０ａ、３０ｂによりメガネ５のテンプル６、６に装着する。【選択図】図１
0003229158.tif 000002
【実用新案登録請求の範囲】
【請求項１】
メガネをかけた人の顔の少なくとも口と鼻と両こめかみ部分とを覆い且つその両こめかみ部分に前記メガネのテンプルと平行になる長孔が穿たれた弾性変形可能な透明樹脂シート，及び前記長孔に一端が挿入可能な薄板ばねを用いた一対のダブルクリップを備え，前記透明樹脂シートを一対のダブルクリップにより前記メガネのテンプルに装着してなるメガネ装着型フェイスシールド。
【請求項２】
請求項１のメガネ装着型フェイスシールドにおいて，前記透明樹脂シートの長孔の長さを，前記ダプルクリップの薄板ばねの幅と実質上同じ大きさとしてなるメガネ装着型フェイスシールド。
【請求項３】
請求項１又は２のメガネ装着型フェイスシールドにおいて，前記透明樹脂シートの長孔の幅を，前記ダプルクリップの薄板ばねの両端に設けたループ部の径と実質上同じ大きさとしてなるメガネ装着型フェイスシールド。
【請求項４】
請求項１から３の何れかのメガネ装着型フェイスシールドにおいて，前記透明樹脂シートの両こめかみ部分にそれぞれ，前記メガネのテンプルと平行になる長孔の複数組を前記メガネのテンプルと垂直方向に隔てて設けてなるメガネ装着型フェイスシールド。
【請求項５】
メガネをかけた人の顔の少なくとも口と鼻と両こめかみ部分とを覆い且つその両こめかみ部分に前記メガネのテンプルと平行になる長孔が穿たれた弾性変形可能な透明樹脂シートであって，その長孔をダブルクリップの薄板ばねの一端が挿入可能な大きさとし，前記両こめかみ部分の長孔に挿入した一対の前記ダブルクリップにより前記メガネのテンプルに装着してなるフェイスシールド用透明樹脂シート。
【請求項６】
請求項５のフェイスシールド用透明樹脂シートにおいて，前記長孔の長さを，前記ダプルクリップの薄板ばねの幅と実質上同じ大きさとしてなるフェイスシールド用透明樹脂シート。
【請求項７】
請求項５又は６のフェイスシールド用透明樹脂シートにおいて，前記長孔の幅を，前記ダプルクリップの薄板ばねの両端に設けたループ部の径と実質上同じ大きさとしてなるフェイスシールド用透明樹脂シート。
【請求項８】
請求項５から７の何れかのフェイスシールド用透明樹脂シートにおいて，前記両こめかみ部分に，前記メガネのテンプルと平行になる複数組の長孔を前記メガネのテンプルと垂直方向に隔てて設けてなるフェイスシールド用透明樹脂シート。
【考案の詳細な説明】
【技術分野】
【０００１】
本考案は人の顔面に取り付けて雰囲気中の飛沫等の接触・飛散を防止するフェイスシールドに関し，とくに人のメガネに装着するメガネ装着型フェイスシールド及びフェイスシールド用透明樹脂シートに関する。
【背景技術】
【０００２】
従来から，ウィルス・細菌等を含む飛沫を介した感染症の拡大防止等を目的として，人の口や鼻を覆うマスクが使用されている。ただし，マスクは口や鼻からの飛沫の接触・飛散の防止には有効であるが，目等からの飛沫の侵入接触を防止できないことから，口や鼻だけでなく人の顔全体を覆うことができるフェイスシールド（フェイスガード，フェイスマスク等と呼ばれることもある）が開発されている。例えば特許文献１及び２は，メガネのように人の耳にかけることができる一対のテンプル（つる）を含むフロントフレームの正面側に人の顔全体を覆う透明な樹脂シートを取り付け，メガネをかけるように手軽に安定して着用できるフェイスシールドを開示している。
【０００３】
また特許文献３は，人の顔の少なくとも口及び鼻先を覆う透明な覆い部位と，覆い部位の左端部と右端部とを人の頭の後方にまわして繋ぐための繋ぎ部位と，覆い部位と人の口及び鼻先とをある程度離隔させるための離隔用部位とを有する一体的で平面状のフェイスシールドを開示している。特許文献３のフェイスシールドは，離隔用部位により，人の顔面と正面を覆う透明な樹脂シートとの間に人の吐く息で曇らないような適当な対向間隔を確保することができる。また，覆い部位，繋ぎ部位，離隔用部位の３つの部位を１枚の透明部材（例えばＰＰ樹脂，ＰＥＴ樹脂などシート）から一体的に切り出すだけで製造することができ，製造コストを小さく抑えることができる。
【先行技術文献】
【特許文献】
【０００４】
【特許文献１】実用新案登録第３１９４８６５号公報
【特許文献２】特開２００６−０５７２０２号公報
【特許文献３】実用新案登録第３２２７０６７号公報
【特許文献４】米国特許第１１３９６２７号明細書
【考案の概要】
【考案が解決しようとする課題】
【０００５】
しかし，特許文献１及び２のように透明な樹脂シートにフロントフレームを一体的に取り付けたフェイスシールドは，組み立てに手間とコスト（製造コスト）がかかる問題点がある。また，メガネをかけていない人は違和感なく着用できるが，既にメガネを使用している人にとっては二重にメガネをかける形になるので，着用時に違和感を生じる問題点もある。製造コストを低く抑さえつつ，メガネを使用している人にも違和感なく着用できるフェイスシールドが望まれている。
【０００６】
他方，特許文献３のフェイスシールドは，低コストで製造できる利点があるものの，着用時に覆い部分の左端部と右端部とを頭の後方にまわして繋ぎ部位で繋ぐ必要があり，メガネを使用している場合は頭の側頭部（耳の周辺）において繋ぎ部位とメガネのテンプルとが重なるので，やはり着用時に違和感が残る問題点がある。また，繋ぎ部位の存在によって頭周りが大きくなるので，通常使用している帽子等をフェイスシールドの着用時にかぶることができないおそれもある。メガネを使用している人がフェイスシールドを着用しながら帽子をかぶって屋外を散歩する場合等を想定すると，帽子等の着用の支障とならないようなフェイスシールドが必要である。
【０００７】
そこで本考案の目的は，メガネを使用している人が違和感なく着用することができるメガネ装着型フェイスシールド及びフェイスシールド用透明樹脂シートを提供することにある。
【課題を解決するための手段】
【０００８】
図１及び図２の実施例を参照するに，本考案によるメガネ装着型フェイスシールドは，メガネ５をかけた人１の顔の少なくとも口２と鼻３と両こめかみ部分４，４とを覆い且つその両こめかみ部分４，４にメガネ５のテンプル６，６と平行になる長孔２２ａ，２２ｂが穿たれた弾性変形可能な透明樹脂シート２０，及び長孔２２ａ，２２ｂに一端が挿入可能な薄板ばね３１を用いた一対のダブルクリップ３０ａ，３０ｂを備え，透明樹脂シート２０を一対のダブルクリップ３０ａ，３０ｂによりメガネ５のテンプル６，６に装着してなるものである。
【０００９】
また，図１及び図２の実施例を参照するに，本考案によるフェイスシールド用透明樹脂シートは，メガネ５をかけた人１の顔の少なくとも口２と鼻３と両こめかみ部分４，４とを覆い且つその両こめかみ部分４，４にメガネ５のテンプル６，６と平行になる長孔２２ａ，２２ｂが穿たれた弾性変形可能な透明樹脂シート２０であって，その長孔２２ａ，２２ｂをダブルクリップ３０ａ，３０ｂの薄板ばね３１の一端が挿入可能な大きさとし，両こめかみ部分４，４の長孔２２ａ，２２ｂに挿入した一対のダブルクリップ３０ａ，３０ｂによりメガネ５のテンプル６，６に装着してなるものである。
【００１０】
好ましい実施例では，図３及び図４に示すように，透明樹脂シート２０に穿たれた長孔２２ａ，２２ｂの長さＬ２を，ダプルクリップ３０の薄板ばね３１の幅Ｌ１と実質上同じ大きさとする。また，図３及び図４に示すように，透明樹脂シート２０に穿たれた長孔２２ａ，２２ｂの幅Ｗ２を，ダプルクリップ３０の薄板ばね３１の両端に設けたループ部３２の径Ｗ１と実質上同じ大きさとする。
【００１１】
更に好ましい実施例では，図６に示すように，透明樹脂シート２０の両こめかみ部分４，４に，メガネ５のテンプル６，６と平行になる複数組の長孔（２２ａ，２２ｂ），（２３ａ，２３ｂ）を，メガネ５のテンプル６，６と垂直方向に隔てて設ける。
【考案の効果】
【００１２】
本考案によるフェイスシールド用透明樹脂シート２０は，メガネ５をかけた人１の顔の少なくとも口２と鼻３と両こめかみ部分４，４とを覆う弾性変形可能な透明樹脂シート２０の両こめかみ部分４，４にメガネ５のテンプル６，６と平行になる一組の長孔２２ａ，２２ｂを設けたものであって，その長孔２２ａ，２２ｂを所要幅のダブルクリップ３０ａ，３０ｂの薄板ばね３１の一端が挿入可能な大きさとしたものである。そのフェイスシールド用透明樹脂シート２０を各長孔２２ａ，２２ｂに挿入する一対のダブルクリップ３０，３０と組み合わせてメガネ装着型フェイスシールドとし，一対のダブルクリップ３０，３０によって透明樹脂シート２０をメガネ５のテンプル６，６に直接装着し，他の装着のための部材を必要としないので，メガネ５を使用している人１が違和感なくフェイスシールドを着用することができる。また，メガネ５をかけた人１の頭周りを開放したままフェイスシールドを着用できるので，フェイスシールドの着用時であっても通常使用している帽子等を問題なく着用することができる。
【図面の簡単な説明】
【００１３】
以下，添付図面を参照して本考案を実施するための形態及び実施例を説明する。
【図１】本考案によるメガネ装着型フェイスシールドの一実施例の説明図である。
【図２】本考案によるメガネ装着型フェイスシールドの他の実施例の説明図である。
【図３】図１のメガネ装着型フェイスシールドの構成を示す説明図である。
【図４】図２のメガネ装着型フェイスシールドの構成を示す説明図である。
【図５】本考案のメガネ装着型フェイスシールドの装着方法の説明図である。
【図６】本考案によるメガネ装着型フェイスシールドの更に他の実施例の説明図である。
【図７】本考案で用いる薄板ばね３１を有するダブルクリップ３０の説明図である。
【考案を実施するための形態】
【００１４】
図１は，メガネ５をかけた人（以下，装着者ということがある）１の顔に装着した状態の本考案のフェイスシールド用透明樹脂シート２０，及びその透明樹脂シート２０とダブルクリップ３０ａ，３０ｂとを組み合わせた本考案のメガネ装着型フェイスシールド１０の実施例を示す。透明樹脂シート２０は，装着者１の顔の少なくとも口２と鼻３と両こめかみ部分４，４とを覆う大きさ・形状とし，弾性変形可能な適当な厚さ（例えば０．１〜０．５ｍｍ，好ましくは０．２５ｍｍ程度）とする。透明樹脂シート２０の材質は，例えばポリエチレンテレフタレート（ＰＥＴ）樹脂とするが，従来からフェイスシールドに用いられている他の透明樹脂，例えばポリプロピレン（ＰＰ）樹脂，ポリエチレン樹脂，ポリ塩化ビニル等を用いてもよい。産業用途のフェイスシールドとする場合は，耐熱性を向上させた耐熱性ＰＥＴ製とすることも有効である。
【００１５】
図３は，図１の装着前（未装着）の状態の透明樹脂シート２０及びダブルクリップ３０ａ，３０ｂを示す。図示例の透明樹脂シート２０は，例えば長辺２８０〜３２０ｍｍ，短辺１８０〜２１０ｍｍ程度の角丸矩形（長方形）である。透明樹脂シート２０の両長辺の中点を結ぶ線を装着者１の鼻筋と平行に揃え，一方の長辺（上辺）から間隔Ｔだけ内側の直線を装着者１の両目の高さと平行に揃え，長辺の両端を弾性変形させて装着者１のこめかみ部分４，４に合わせることにより，装着者１の額から下方の顔面全体を覆うことができる。間隔Ｔは，装着者１の額に対応する長さであり，例えば３０ｍｍ程度とすることによりフェイスシールドの着用時であっても帽子等を問題なく着用することができる。透明樹脂シート２０の各辺の長さ及び間隔Ｔの大きさは，装着者１の顔の大きさ及び額の高さに合わせて適宜調整できる。
【００１６】
図３に示すように，透明樹脂シート２０の両こめかみ部分４，４にはそれぞれ，装着者１の両目の高さ（上辺から間隔Ｔだけ内側の直線）に沿って，長辺（上辺）と平行な一組のスリット状の長孔２２ａ，２２ｂを穿つ。図示例では，透明樹脂シート２０の両こめかみ部分４，４（例えば左右の両短辺からそれぞれ内側に１０〜２０ｍｍ程度離れた部位）に長辺と平行に長孔２２ａ，２２ｂを穿っている。各長孔２２ａ，２２ｂは，図５（Ｃ）に示すように所要幅Ｌ１のダブルクリップ３０の薄板ばね３１の長さ方向一端が挿入可能な大きさとし，例えば所定長さＬ２及び所定幅Ｗ２の大きさの矩形孔とすることができる。
【００１７】
メガネ５をかけた装着者１の両目の高さに沿って透明樹脂シート２０に一組の長孔２２ａ，２２ｂを設けることにより，透明樹脂シート２０の装着時に長孔２２ａ，２２ｂがメガネ５のテンプル６，６と平行になり，長孔２２ａ，２２ｂに挿入したダブルクリップ３０ａ，３０ｂによってメガネ５のテンプル６，６を挟み込む（把持する）ことができる。逆に，予め透明樹脂シート２０の長孔２２ａ，２２ｂに挿入したダブルクリップ３０ａ，３０ｂにメガネ５のテンプル６，６を挟み込んで（把持して）おくことにより，そのメガネ５をかけた装着者１の顔面全体を覆うように透明樹脂シート２０を配置することができる。
【００１８】
ダブルクリップ３０は，図７（Ａ）に示すように，幅Ｌ１で適当な長さの矩形薄板を二等辺三角形の形状に折り曲げた金属製の薄板ばね３１と，その二等辺三角形の頂点で突き合せた薄板ばね３１の長さ方向両端（突き合わせ端）に取り付ける一対の金属製ワイヤーレバー（ハンドル）３４とで構成され，二等辺三角形の頂点（薄板ばね３１の内側）にものを挟み込むクリップである（特許文献４参照）。薄板ばね３１は，図７（Ｂ）に示すように，所要幅・所要長さの矩形薄板の長さ方向の中央部分を底面とし，長さ方向両端を二等辺三角形の形状に折り曲げて頂点とし，頂点で突き合わせた長さ方向両端にそれぞれ径Ｗ１のループ３２を形成したものである。長さ方向両端のループ３２は，二等辺三角形の頂点に挟み込むものが傷つくこと防ぐ機能を果たす。ループ３２の中央部には，ワイヤーレバー３４を取り付けるための切り欠きを設ける。
【００１９】
図７（Ｃ）に示すダブルクリップ３０のワイヤーレバー３４は，１本の金属ワイヤーの中央部を梃子状に折り曲げたものである。一対のワイヤーレバー３４を薄板ばね３１の長さ方向両端の各ループ３２の中央部の切り欠きにそれぞれ配置し，両端３５を径Ｗ１のループ３２に差し込むことにより薄板ばね３１の長さ方向両端に取り付ける。図７（Ｄ）及び（Ｅ）は，何れも薄板ばね３１の幅方向と交差するダブルクリップ３０の三角形断面図を示し，同図（Ｄ）はワイヤーレバー３４に力Ｆを加えていない閉鎖状態，同図（Ｅ）はワイヤーレバー３４に薄板ばね３１の頂点を開く力Ｆを加えた開放状態を表す。図７（Ｅ）の開放状態において薄板ばね３１の内側にものを差し入れ，その開く力Ｆを解除して図７（Ｄ）の閉鎖状態に戻すことにより二等辺三角形の頂点にものを挟み込むことができる。
【００２０】
ダブルクリップ３０は，薄板ばね３１の比較的長い所要幅Ｌ１によって，二等辺三角形の頂点にものをしっかりと挟み込むことができる。また，ダブルクリップ３０のワイヤーレバー３４は，図７（Ｄ）の閉鎖状態において，図７（Ｆ）のように薄板ばね３１のループ３２に差し込んだ両端３５を軸として回転させることができる。このワイヤーレバー３４の回転により，図７（Ｄ）のようなワイヤーレバー３４の張り出しをなくし，二等辺三角形の頂点にものを挟み込んだ状態のダブルクリップ３０を図７（Ｆ）のように比較的平らな形状とすることができる。更に，二等辺三角形の頂点にものを挟み込んだのち，必要に応じて薄板ばね３１のループ３２に差し込んだワイヤーレバー３４の両端３５を引き抜き，ワイヤーレバー３４を取り外すことも可能である。
【００２１】
本考案においてダブルクリップ３０は，図５（Ａ）に示すように，薄板ばね３１の内側に透明樹脂シート２０と装着者１のメガネ５のテンプル６とを共に挟み込み，メガネ５にフェイスシールド１０を装着するために使用する。使用するダブルクリップ３０は，装着者１のメガネ５のテンプル６を挟み込むことができる所要幅（大きさ・深さ）のものとするが，挟み込むことができる範囲でダブルクリップ３０の大きさ（幅）は適宜選択できる。図示例では，例えば幅Ｌ１＝１９ｍｍ程度のダブルクリップ３０を使用する。また，薄板ばね３１の一般的な色は黒色であるが，さまざまな装飾的塗装を施した薄板ばね３１を使用することができ，挟み込むメガネ５のテンプル６の色彩に応じて，使用するダブルクリップ３０の色も適宜選択することができる。
【００２２】
図５（Ｂ）〜（Ｅ）は，ダブルクリップ３０ｂ（及び３０ａ）によりフェイスシールド１０を装着者１のメガネ５に装着する手順を示す。先ず，図５（Ｂ）に示すようにダブルクリップ３０ｂ（及び３０ａ）のワイヤーレバー３４に力Ｆを加えて薄板ばね３１の頂点を開き，図５（Ｃ）に示すように開かれた薄板ばね３１の長さ方向一端（一方の突き合わせ端）を透明樹脂シート２０の正面側から裏側（メガネ５側）へ向けて長孔２２ｂ（及び２２ａ）に挿入する。図示例では薄板ばね３１の長さ方向一端を透明樹脂シート２０の下辺側から長孔２２に挿入しているが，透明樹脂シート２０の上辺側から長孔２２に挿入してもよい。長孔２２へ挿入することにより，開かれた薄板ばね３１の内側に透明樹脂シート２０が差し込まれる。
【００２３】
次に，図５（Ｄ）に示すように透明樹脂シート２０の長孔２２ｂ（及び２２ａ）の裏側から，開かれた薄板ばね３１の内側に装着者１のメガネ５のテンプル６の適当な部位を差し入れる。そのうえで，図５（Ｅ）に示すようにワイヤーレバー３４に加えた力Ｆを解除することにより，図５（Ａ）に示すように，透明樹脂シート２０と装着者１のメガネ５のテンプル６とを共にダブルクリップ３０ｂ（及び３０ａ）に挟み込んで把持することができる。なお，薄板ばね３１の内側に差し入れるテンプル６の部位（挟み込む位置）を変えることにより，装着者１の顔面に対する透明樹脂シート２０の装着位置を前後方向に調整することができ，装着者１の顔面と正面を覆う透明樹脂シート２０との間の対向間隔を適当に調整することができる。
【００２４】
好ましくは，図３に示すように，透明樹脂シート２０に穿った長孔２２ａ，２２ｂの長さＬ２を，ダプルクリップ３０の薄板ばね３１の幅Ｌ１と同じ大きさ，或いは幅Ｌ１より若干広い大きさとする。例えば，薄板ばね３１の幅Ｌ１を１９ｍｍとした場合，長孔２２ａ，２２ｂの長さＬ２を１ｍｍ程度大きい２０ｍｍとする。長孔２２ａ，２２ｂの長さＬ２を薄板ばね３１の幅Ｌ１と実質上同じ大きさとすることにより，透明樹脂シート２０の長辺方向でダブルクリップ３０ａ，３０ｂを位置決めし，メガネ５への装着時に透明樹脂シート２０が長辺方向に変動するのを避けることができる。
【００２５】
また好ましくは，図３に示すように，透明樹脂シート２０に穿った長孔２２ａ，２２ｂの幅Ｗ２を，ダプルクリップ３０の薄板ばね３１の両端に設けたループ部３２の径Ｗ１と同じ大きさ，或いは径Ｗ１より若干広い大きさとする。例えば，薄板ばね３１の幅Ｌ１を１９ｍｍとした場合，ループ部３２の径Ｗ１は１．５ｍｍ程度であるから，長孔２２ａ，２２ｂの幅Ｗ２を１ｍｍ程度大きい２.５ｍｍとする。長孔２２ａ，２２ｂの幅Ｗ２を薄板ばね３１のループ部３２の径Ｗ１と実質上同じ大きさとすることにより，透明樹脂シート２０の短辺方向においてもダブルクリップ３０ａ，３０ｂを位置決めし，メガネ５への装着時に透明樹脂シート２０が短辺方向に変動するのを避けることができる。
【００２６】
図５（Ａ）及び図５（Ｅ）に示すように，ダブルクリップ３０は透明樹脂シート２０の正面側に配置されるのに対し，装着者１のメガネ５は透明樹脂シート２０の裏側（反対側）に配置される。ダブルクリップ３０は透明樹脂シート２０をメガネ５にしっかりと装着できる一方で，ダブルクリップ３０は透明樹脂シート２０のメガネ５と反対側に配置されているので，フェイスシールド１０の装着時に装着者１がダブルクリップ３０の存在を意識することはなく，メガネ５を使用している装着者１が違和感なくフェイスシールド１０を着用することができる。
【００２７】
なお，透明樹脂シート２０の正面側にダブルクリップ３０を配置するので，ダブルクリップ３０のワイヤーレバー３４が透明樹脂シート２０の正面側に張り出す形となるが，図５（Ｅ）に示すように薄板ばね３１のループ３２を軸としてワイヤーレバー３４を回転させることにより，ワイヤーレバー３４の正面側への張り出しも小さく抑えることができる。必要に応じて，薄板ばね３１のループ３２からワイヤーレバー３４を引き抜いて取り外すことも可能である。
【００２８】
更に，ダブルクリップ３０によって透明樹脂シート２０をメガネ５のテンプル６，６に装着することにより，装着者１の頭周りは開放されているので，フェイスシールドの着用時にも通常使用している帽子等を問題なくかぶることができる。また，図示例のフェイスシールド１０は雰囲気中の飛沫等との接触防止に有効であるが，飛沫だけでなく埃・粉塵等が飛散する環境中で使用して埃・粉塵等の吸引を防止する際にも有効である。更に，耐熱性ＰＥＴ製の明樹脂シート２０を用いることにより，例えば溶接作業等の火花が飛散する作業現場等で装着者１の顔面を保護するために使用することも期待できる。
【００２９】
こうして，本考案の目的である「メガネを使用している人が違和感なく着用することができるメガネ装着型フェイスシールド及びフェイスシールド用透明樹脂シート」の提供を達成することができる。
【００３０】
なお，図３に示す装着前の平面状の透明樹脂シート２０が弾性変形しやすい場合は，図１のように弾性変形させてメガネ５のテンプル６，６に問題なく装着できるが，透明樹脂シート２０が弾性変形しにくい場合は，透明樹脂シート２０の復元力によりメガネ５のテンプル６，６に若干広がる傾向を生じる。この場合は，図２に示すように，メガネ５のテンプル６，６を装着者１の後頭部で繋ぐメガネバンド７を用いることも有効である。メガネバンド７によってメガネ５のテンプル６，６を装着者１の頭部に固定することにより，透明樹脂シート２０の復元力によるテンプル６，６の広がりを避けることができる。ただし，メガネバンド７は本考案のメガネ装着型フェイスマスクに必須のものではない。
【実施例１】
【００３１】
図２は，本考案のフェイスシールド用透明樹脂シート２０，及びその透明樹脂シート２０と一対のダブルクリップ３０，３０とを組み合わせた本考案のメガネ装着型フェイスシールド１０の他の実施例を示す。図１の実施例ではメガネ５をかけた装着者１の額から下方の顔全体を覆う透明樹脂シート２０を用いているが，図２の実施例では装着者１の顔の口２，鼻３，及び両こめかみ部分４，４のみを覆う透明樹脂シート２０を用い，メガネ５の前方を開放している。図２の透明樹脂シート２０の材質は，図１と同様のものとすることができる。
【００３２】
図４は，図２の透明樹脂シート２０及びフェイスシールド１０の装着前（未装着）の状態を示す。図２の透明樹脂シート２０にも，図１の場合と同様に，両こめかみ部分４，４にそれぞれ装着者１の両目の高さ（上辺から間隔Ｔだけ内側の直線）に沿って上辺と平行な一組のスリット状の長孔２２ａ，２２ｂを穿たれている。また，各長孔２２ａ，２２ｂに挿入するダブルクリップ３０も，図１の場合と同様に，装着者１のメガネ５のテンプル６を挟み込むことができる所要幅Ｌ１とし，長さ方向両端にそれぞれ径Ｗ１のループ３２が形成されている。透明樹脂シート２０の各長孔２２ａ，２２ｂは，所要幅Ｌ１のダブルクリップ３０の薄板ばね３１の長さ方向一端が挿入可能な大きさ（例えば所定長さＬ２及び所定幅Ｗ２の矩形孔）とする。
【００３３】
図２の実施例においても，透明樹脂シート２０を長孔２２ａ，２２ｂがメガネ５のテンプル６，６と平行になるように配置することにより，長孔２２ａ，２２ｂに正面側から裏側（メガネ５側）へ向けて挿入したダブルクリップ３０ａ，３０ｂによって透明樹脂シート２０をメガネ５のテンプル６，６に装着することができる。逆に，予めダブルクリップ３０ａ，３０ｂによりメガネ５のテンプル６，６に透明樹脂シート２０を装着しておくことにより，そのメガネ５をかけた装着者１の口２，鼻３，及び両こめかみ部分４，４を覆うように透明樹脂シート２０を配置することができる。
【００３４】
なお，図１及び図３の実施例ではダブルクリップ２０の薄板ばね３１の長さ方向一端を透明樹脂シート２０の下辺側から長孔２２ａ，２２ｂに挿入しているのに対し（図５（Ｃ）〜図５（Ｅ）参照），図２及び図４の実施例では薄板ばね３１の長さ方向一端を透明樹脂シート２０の上辺側から長孔２２ａ，２２ｂに挿入している。何れの場合もダブルクリップ３０により透明樹脂シート２０をメガネ５にしっかりと装着できるが，図１及び図３のように薄板ばね３１の長さ方向一端を下辺側から長孔２２ａ，２２ｂに挿入した場合は，ダブルクリップ２０の挟み込み力によって透明樹脂シート２０の下方部分が若干外側に広がることが経験された。図２及び図４のように薄板ばね３１の長さ方向一端を上辺側から長孔２２ａ，２２ｂに挿入することにより，透明樹脂シート２０の下方部分の外側への広がりを抑えることが期待できる。
【実施例２】
【００３５】
図６は，本考案のフェイスシールド用透明樹脂シート２０，及びその透明樹脂シート２０と一対のダブルクリップ３０，３０とを組み合わせた本考案のメガネ装着型フェイスシールド１０の更に他の実施例を示す。図１及び図２の実施例では両こめかみ部分４，４に一組の長孔２２ａ，２２ｂを設けた透明樹脂シート２０を用いているため，各長孔２２ａ，２２ｂに挿入したダブルクリップ３０ａ，３０ｂによって透明樹脂シート２０をメガネ５のテンプル６，６に装着したときに，メガネ５に対する透明樹脂シート２０の装着位置（装着者１の両目の高さに対するフェイスガード１０の装着位置）を上下方向に調整しにくいことが経験された。
【００３６】
図６の透明樹脂シート２０の両こめかみ部分４，４には，装着者１のメガネ５のテンプル６，６と平行になる２組の長孔（２２ａ，２２ｂ），（２３ａ，２３ｂ）が，メガネ５のテンプル６，６と垂直方向の間隙Ｇを隔てて穿たれている。一方の組の長孔２２ａ，２２ｂは透明樹脂シート２０の上辺から間隔Ｔ１だけ内側の直線上に穿たれ，他方の組の長孔２３ａ，２３ｂは透明樹脂シート２０の上辺から間隔Ｔ２だけ内側の直線上に穿たれている。装着者１は，透明樹脂シート２０の両こめかみ部分４，４の何れかの組の長孔（２２ａ，２２ｂ）又は（２３ａ，２３ｂ）を選択し，選択した組の各長孔（２２ａ，２２ｂ）又は（２３ａ，２３ｂ）にダブルクリップ３０の薄板ばね３１の長さ方向一端を挿入することによりフェイスガード１０を装着する。
【００３７】
すなわち，図６の実施例では，透明樹脂シート２０の何れかの組の長孔（２２ａ，２２ｂ）又は（２３ａ，２３ｂ）を選択してメガネ５のテンプル６，６と平行になるように配置し，その選択した長孔（２２ａ，２２ｂ）又は（２３ａ，２３ｂ）に正面側から裏側（メガネ５側）へ向けて挿入したダブルクリップ３０ａ，３０ｂによって透明樹脂シート２０をメガネ５のテンプル６，６に装着する。各組の長孔（２２ａ，２２ｂ）又は（２３ａ，２３ｂ）が，メガネ５のテンプル６，６と垂直方向に間隙Ｇだけ隔てられているので，この選択によりメガネ５に対する透明樹脂シート２０の装着位置（装着者１の両目の高さに対するフェイスガード１０の装着位置）を上下方向に簡単に調整することができる。
【００３８】
なお，図示例では透明樹脂シート２０の両こめかみ部分４，４に２組の長孔（２２ａ，２２ｂ），（２３ａ，２３ｂ）を設けているが，３組又はそれ以上の組の長孔を設けることも可能である。複数組の長孔（２２ａ，２２ｂ），（２３ａ，２３ｂ）・・・をそれぞれメガネ５のテンプル６，６と垂直方向の所要間隙Ｇで設けることにより，メガネ５に対する透明樹脂シート２０の装着位置を上下方向に多段階で調整することが可能となる。
【符号の説明】
【００３９】
１…人（装着者）                        ２…口
３…鼻                                  ４…こめかみ
５…メガネ                              ６…テンプル
７…メガネバンド
１０…メガネ装着型フェイスシールド
２０…透明樹脂シート
２２ａ，２２ｂ…長孔                    ２３ａ，２３ｂ…長孔
３０ａ，３０ｂ…ダブルクリップ
３１…薄板ばね                          ３２…ループ部
３４…ワイヤーレバー                    ３５…ループ部への差し込み部
【図１】
0003229158.tif 000003
【図２】
0003229158.tif 000004
【図３】
0003229158.tif 000005
【図４】
0003229158.tif 000006
【図５】
0003229158.tif 000007
【図６】
0003229158.tif 000008
【図７】
0003229158.tif 000009